(57)【要約】【課題】呼出しモードを通話相手の電話番号ごとに設定する必要がなく、周囲環境を考慮しその場所に相応したマナーモードを選択し設定することができる。【解決手段】制御部７の電話番号登録手段は、内蔵する電話帳８に登録する電話番号のうち、重要な用件又は緊急な用件を有した相手の電話番号を区別して登録し、また、マナーモード設定手段は全ての着信に対しその着信があったことの、鳴音による報知を行わない第１の報知モードと、電話帳８に登録され、かつ重要な用件又は緊急な用件を有した相手の電話番号として管理される電話番号からの着信に対して鳴音による報知を行い、他の電話番号からの着信に対しては鳴音による報知を行わない第２の報知モードと、電話帳８に登録された電話番号からの着信に対して鳴音による報知を行い、電話帳８に登録されていない電話番号からの着信に対しては鳴音による報知を行わない第３の報知モードとを有する。【選択図】      図４
2004312105.tif 000002
【特許請求の範囲】
【請求項１】
内蔵する電話帳に登録する電話番号のうち、特別な用件を有する相手の電話番号を区別して登録する電話番号登録手段と、マナーモードを設定するマナーモード設定手段とを備え、前記マナーモード設定手段は、
（Ａ）全ての着信に対してその着信があったことについての、鳴音による報知を行わない第１の報知モードを有する第１のマナーモードレベル、
（Ｂ）前記電話帳に登録され、かつ特別な用件を有する相手の電話番号からの着信に対しては鳴音による報知を行い、他の電話番号からの着信に対しては鳴音による報知を行わない第２の報知モードを有する第２のマナーモードレベル、
（Ｃ）前記電話帳に登録された電話番号からの着信に対しては鳴音による報知を行い、前記電話帳に登録されていない電話番号からの着信に対しては鳴音による報知を行わない第３の報知モードを有する第３のマナーモードレベル、の中の１つのマナーモードレベルを選択してマナーモードを設定することを特徴とする携帯電話端末の着信制御方式。
【請求項２】
請求項１記載の携帯電話端末の着信制御方式において、全ての着信に対してその着信があったことについての、鳴音による報知を行わず、前記電話帳に登録され、かつ特別な用件を有する相手の電話番号からの着信に対しては振動及び画面表示による報知を行う報知モードを有するマナーモードレベルを設けたことを特徴とする携帯電話端末の着信制御方式。
【請求項３】
請求項１又は請求項２記載の携帯電話端末の着信制御方式において、前記電話番号登録手段は、前記特別な用件を有する相手の電話番号を区別するために、前記特別な用件を有する相手の電話番号の登録については、前記特別な用件を有する相手の電話番号であることを示す情報を前記電話番号に付与して登録することを特徴とする携帯電話端末の着信制御方式。
【請求項４】
請求項１、請求項２又は請求項３記載の携帯電話端末の着信制御方式において、前記第３のマナーモードレベルのマナーモードが設定されている状態で前記着信があったときは、発信元電話番号が前記電話帳に登録されているか否かの第１の検索のみを行い、前記第２のマナーモードレベルのマナーモードが設定されている状態で前記着信があったときは、発信元電話番号が前記電話帳に登録されているか否かの第１の検索を行って、前記発信元電話番号が前記電話帳に登録されている場合は、さらに、前記電話番号が前記特別な用件を有する相手の電話番号であることを示す前記情報が前記電話番号に付与されているか否かの第２の検索を行う電話帳検索手段と、前記第３のマナーモードレベルのマナーモードが設定されている状態で前記着信があったときは、前記第１の検索による検索結果とに基づいて前記第３の報知モードで報知を行い、前記第２のマナーモードレベルのマナーモードが設定されている状態で前記着信があったときは、前記第１の検索及び前記第２の検索による検索結果とに基づいて前記第２の報知モードで報知を行い、前記第１のマナーモードレベルのマナーモードが設定されている状態で前記着信があったときは、前記第１の報知モードで報知を行う着信報知手段とを備えることを特徴とする携帯電話端末の着信制御方式。
【請求項５】
請求項１、請求項２、請求項３又は請求項４記載の携帯電話端末の着信制御方式において、前記各報知モードで鳴音による報知を行わない場合であっても振動による報知のオン・オフの設定の選択が可能であることを特徴とする携帯電話端末の着信制御方式。
【請求項６】
請求項１、請求項２、請求項３、請求項４又は請求項５記載の携帯電話端末の着信制御方式において、前記各報知モードで留守番録音の設定の選択が可能であることを特徴とする携帯電話端末の着信制御方式。
【請求項７】
請求項１、請求項２、請求項３、請求項４、請求項５又は請求項６記載の携帯電話端末の着信制御方式において、前記第２の報知モード及び前記第３の報知モードのそれぞれの報知モードで着信を報知する鳴音の音量レベル設定が可能であることを特徴とする携帯電話端末の着信制御方式。
【請求項８】
請求項３、請求項４、請求項５、請求項６又は請求項７記載の携帯電話端末の着信制御方式において、前記特別な用件を有する相手の電話番号であることを示す情報は所定の符号で示されることを特徴とする携帯電話端末の着信制御方式。
【請求項９】
請求項１記載の携帯電話端末の着信制御方式において、前記特別な用件は、緊急性の高い用件又は重要性の高い用件であることを特徴とする携帯電話端末の着信制御方式。
【発明の詳細な説明】
【０００１】
【発明の属する技術分野】
本発明は携帯電話端末の着信制御方式に関し、特に着信時に着信音を鳴らさないないよう設定することができるマナーモード機能を有する携帯電話端末の着信制御方式に関する。
【０００２】
【従来の技術】
従来の携帯電話端末は、電車内等の人の混雑したところで、あるいは、会議などで着信音を鳴動させて他の人に迷惑をかけないようにするために、着信時に着信音が鳴らないように呼び出しを規制するマナーモード等の機能が備えられている。
【０００３】
しかし、上述した携帯電話端末にマナーモードが設定されていて、着信時に鳴音がならないようになっている場合には、それが緊急の連絡のための着信であってもその着信に気づかず、緊急連絡が不可能になってしまうということがあった。
【０００４】
このため、特開２００２−１５２３２３号公報に示されるように、緊急呼び出しが必要な時に、マナーモードにより呼び出しが規制されていても、発信者と着信者の双方が期待する呼び出しを可能にすることができるように構成された携帯電話端末も開発されている。
【０００５】
この特開２００２−１５２３２３号公報に示される携帯電話端末は、着信時に発信者の電話番号を確認すると、携帯電話端末がマナーモードに設定されているか否かを調べ、マナーモードに設定されている場合は、着信側がマナーモードに設定されていることを発信者にアナウンスで通知し、発信者の電話番号に対応する呼出モードを記憶部より読み出して、発信者に緊急かどうかを尋ねるアナウンスを行う。発信者から緊急を示すキー入力が行われたとき、記憶部より読み出した呼出モードが示す緊急時の呼出方法が例えば鳴音及び振動による呼出を可能としている場合には、その旨のアナウンスが携帯電話端末から行われ、発信者は鳴音及び振動による呼出を要求するキー入力を行うことができる。
【０００６】
すなわち、特開２００２−１５２３２３号公報に示される携帯電話端末では、急呼び出しが必要な時に、マナーモード等により呼び出し規制されていても、発信者の緊急度に応じてマナーモードを解除したり、また、あらかじめ着信者が発信者番号に対応した呼び出し規制を設定することで、着信端末装置が着信者の意図とは違う鳴音がしてしまうこともなく、特定の発信者だけにマナーモードの解除をさせ、また、発信者がどのような呼び出しモードで呼び出すかを選択でき、発信者、着信者両方の期待する呼び出し制御を可能にすることができるように構成されている。
【０００７】
【特許文献１】
特開平２００２−１５２３２３号公報  （第２頁−４頁、図２−４）
【０００８】
【発明が解決しようとする課題】
上述した従来の携帯電話端末の着信制御方式は、マナーモードが設定されている場合でも、発信者の緊急度に応じてマナーモード等を解除したり、また、あらかじめ着信者が発信者番号に対応した呼び出し規制方法を設定することができるように構成され、着信端末装置が着信者の意図に反して鳴音報知が行われてしまうこともなく、特定の発信者に対してのみマナーモードの解除をさせることができるように構成されてはいるものの、携帯電話端末のユーザとしては、あらかじめ通話相手の電話番号に対応した呼び出しモードを個々の通話相手の電話番号ごとに設定しておく必要があり設定作業が煩わしいという欠点を有している。
【０００９】
また、上記特定の発信者からの着信でかつ緊急呼び出しの場合にマナーモードを解除してその着信による通話が終ったときに、まだマナーモードを設定しなければならない状況にある場合は再度マナーモードを設定し直さなければならないという欠点を有している。
【００１０】
また、同一の発信者からの着信であっても、携帯電話端末を所持するユーザの周囲環境が、例えば音楽会のような鳴音による報知を全く許さない場所である場合、または、できれば鳴音による報知を避けたい場所ではあるが緊急なあるいは重要な用件の着信があるような場所である場合、すなわち例えば重要な商談をかかえた営業マンに大切な得意先からの着信があるかも知れない企業内の営業会議の席上のような場所である場合など、時と場合によって鳴音報知の規制を徹底させたり鳴音報知の規制を緩和させたりする場合があるが、このような場合に対応して周囲環境を考慮してその場所に相応したマナーモードを選択し設定することができないという欠点を有している。
【００１１】
本発明の目的は、あらかじめ通話相手の電話番号に対応した呼び出しモードを個々の電話番号ごとに設定しておくような煩わしい設定作業を減らすことができ、マナーモード設定時にもあらかじめ定められた特定の緊急着信については、例外的に鳴音報知を可能とすることができ、さらに、周囲環境を考慮してその場所に相応したマナーモードを選択し設定することができる携帯電話端末の着信制御方式を提供することにある。
【００１２】
【課題を解決するための手段】
第１の発明の携帯電話端末の着信制御方式は、内蔵する電話帳に登録する電話番号のうち、特別な用件を有する相手の電話番号を区別して登録する電話番号登録手段と、マナーモードを設定するマナーモード設定手段とを備え、前記マナーモード設定手段は、
（Ａ）全ての着信に対してその着信があったことについての、鳴音による報知を行わない第１の報知モードを有する第１のマナーモードレベル、
（Ｂ）前記電話帳に登録され、かつ特別な用件を有する相手の電話番号からの着信に対しては鳴音による報知を行い、他の電話番号からの着信に対しては鳴音による報知を行わない第２の報知モードを有する第２のマナーモードレベル、
（Ｃ）前記電話帳に登録された電話番号からの着信に対しては鳴音による報知を行い、前記電話帳に登録されていない電話番号からの着信に対しては鳴音による報知を行わない第３の報知モードを有する第３のマナーモードレベル、の中の１つのマナーモードレベルを選択してマナーモードを設定することを特徴として構成される。
【００１３】
第２の発明の携帯電話端末の着信制御方式は、第１の発明の携帯電話端末の着信制御方式において、全ての着信に対してその着信があったことについての、鳴音による報知を行わず、前記電話帳に登録され、かつ特別な用件を有する相手の電話番号からの着信に対しては振動及び画面表示による報知を行う報知モードを有するマナーモードレベルを設けたことを特徴として構成される。
【００１４】
第３の発明の携帯電話端末の着信制御方式は、第１の発明及び第２の発明の携帯電話端末の着信制御方式において、前記電話番号登録手段は、前記特別な用件を有する相手の電話番号を区別するために、前記特別な用件を有する相手の電話番号の登録については、前記特別な用件を有する相手の電話番号であることを示す情報を前記電話番号に付与して登録することを特徴として構成される。
【００１５】
第４の発明の携帯電話端末の着信制御方式は、第１の発明、第２の発明及び第３の発明の携帯電話端末の着信制御方式において、前記第３のマナーモードレベルのマナーモードが設定されている状態で前記着信があったときは、発信元電話番号が前記電話帳に登録されているか否かの第１の検索のみを行い、前記第２のマナーモードレベルのマナーモードが設定されている状態で前記着信があったときは、発信元電話番号が前記電話帳に登録されているか否かの第１の検索を行って、前記発信元電話番号が前記電話帳に登録されている場合は、さらに、前記電話番号が前記特別な用件を有する相手の電話番号であることを示す前記情報が前記電話番号に付与されているか否かの第２の検索を行う電話帳検索手段と、前記第３のマナーモードレベルのマナーモードが設定されている状態で前記着信があったときは、前記第１の検索による検索結果とに基づいて前記第３の報知モードで報知を行い、前記第２のマナーモードレベルのマナーモードが設定されている状態で前記着信があったときは、前記第１の検索及び前記第２の検索による検索結果とに基づいて前記第２の報知モードで報知を行い、前記第１のマナーモードレベルのマナーモードが設定されている状態で前記着信があったときは、前記第１の報知モードで報知を行う着信報知手段とを備えることを特徴として構成される。
【００１６】
第５の発明の携帯電話端末の着信制御方式は、第１の発明、第２の発明、第３の発明及び第４の発明の携帯電話端末の着信制御方式において、前記各報知モードで鳴音による報知を行わない場合であっても振動による報知のオン・オフの設定の選択が可能であることを特徴として構成される。
【００１７】
第６の発明の携帯電話端末の着信制御方式は、第１の発明、第２の発明、第３の発明、第４の発明及び第５の発明の携帯電話端末の着信制御方式において、前記各報知モードで留守番録音の設定の選択が可能であることを特徴として構成される。
【００１８】
第７の発明の携帯電話端末の着信制御方式は、第１の発明、第２の発明、第３の発明、第４の発明、第５の発明及び第６の発明の携帯電話端末の着信制御方式において、前記第２の報知モード及び前記第３の報知モードのそれぞれの報知モードで着信を報知する鳴音の音量レベル設定が可能であることを特徴として構成される。
【００１９】
第８の発明の携帯電話端末の着信制御方式は、第１の発明、第２の発明、第３の発明、第４の発明、第５の発明、第６の発明及び第７の発明の携帯電話端末の着信制御方式において、前記特別な用件を有する相手の電話番号であることを示す情報は所定の符号で示されることを特徴として構成される。
【００２０】
第９の発明の携帯電話端末の着信制御方式は、第１の発明の発明携帯電話端末の着信制御方式において、前記特別な用件は、緊急性の高い用件又は重要性の高い用件であることを特徴として構成される。
【００２１】
【発明の実施の形態】
本発明の携帯電話端末の着信制御方式では、携帯電話端末のユーザが、会社の関係者、知人あるいは友人等の電話番号を携帯電話端末の電話帳に登録するときに、登録しようとしている電話番号を持つ相手が自分に対して緊急性の高い用件又は重要性の高い用件などの特別の用件を有した相手であるか否かを考え、この特別の用件を有した相手である場合には、特別の用件を有した相手の電話番号であることを示す情報をその相手の電話番号に付与して登録できるように構成される。
【００２２】
また、マナーモードの設定については、それぞれ異る報知モードを有する複数のマナーモードを設け、複数のマナーモードは段階的に鳴音の規制を緩和するように構成され、規制のレベルを順次緩和するように報知モードが設定される。ユーザはこの複数のマナーモードの中から、マナーモードを設定しようとしているそのときの状況に相応しいレベルのマナーモードを選択し、設定することができるように構成される。
【００２３】
なお、ここでは、一例として、マナーモード設定のときに選択の対象となる上記それぞれ異る報知モードを有する複数のマナーモードとして３段階に設定されるマナーモードの場合について説明する。
【００２４】
すなわち、全ての着信に対して着信音を鳴らさないようにする報知モードとして第１段階の報知モード（以後、第１の報知モードという）を有するマナーモードを、第１のマナーモードレベルを有するマナーモードとし、この第１の報知モードの他に、着信のあった発信元の相手が上述した特別の用件を有した相手については例外としてマナーモード下にあっても着信音を鳴らすようにする報知モードとして第２段階の報知モード（以後、第２の報知モードという）を有する第２のマナーモードレベルを、第２のマナーモードレベルを有するマナーモードとし、さらに、着信のあった発信元の相手が上述した特別の用件を有した相手であるか否かにはかかわらず、電話帳に登録された電話番号を持つ相手については例外としてマナーモード下にあっても着信音を鳴らすようにする報知モードとして第３段階の報知モード（以後、第３の報知モードという）を有するマナーモードを、第３のマナーモードレベルを有するマナーモードとして、３段階のレベルのマナーモードを設けた場合について説明する。
【００２５】
従って、マナーモードを設定するときは、上述したように、第１のマナーモードレベル、第２のマナーモードレベル及び第３のマナーモードレベルから構成される３段階のマナーモードレベルの中から設定の対象となるマナーモードレベルを選択をしてそのマナーモードレベルでマナーモードを設定する。
【００２６】
例えば、上述した第２のマナーモードレベルが設定された場合は、特別の用件を有した相手の電話番号からの着信時には、発信元の電話番号が特別の用件を有した相手の電話番号として既にメモリに登録されているので、その電話番号についてはマナーモード下にあっても例外的に着信音が鳴らされ、そうでない電話番号については着信音は鳴らされない。
【００２７】
また、第３のマナーモードレベルが設定された場合には、電話帳に登録された電話番号を有した発信元からの着信時には着信音が鳴らされ、電話帳に登録されていない電話番号からの着信時には着信音は鳴らされない。
【００２８】
第１から第３までの各マナーモードレベル間の関係は、第３のマナーモードレベルのマナーモードよりも第２のマナーモードレベルのマナーモードの方がマナーモードを厳しく守らなければならないマナーモードであり、さらに、第２のマナーモードレベルのマナーモードよりは第１のマナーモードレベルのマナーモードの方がよりマナーモードを厳しく守らなければならないマナーモードであるという関係にある。
【００２９】
次に、本発明の実施の形態について図面を参照して説明する。
【００３０】
図１は、本発明の携帯電話端末の着信制御方式における携帯電話端末の実施の一形態を示すブロック図である。
【００３１】
図１に示す本実施の形態の携帯電話端末の着信制御方式における携帯電話端末は、図示しない移動無線基地局との間でアンテナ１を介して移動無線周波数信号の送受信を行い、アンテナ１に入力された移動無線基地局から受信した無線周波数信号を復調して得られる着信信号を後述する制御部７に出力し、また、移動無線基地局への送信信号を無線周波数信号に変調してアンテナ１を介して移動無線基地局へ送信する無線部２と、携帯電話端末の電源のオン・オフ制御、携帯電話末の電話帳登録機能等の機能選択制御、あるいは携帯電話端末のマナーモードの設定制御等の制御入力や、後述するメモリ５に記憶される電話帳８へ電話番号を登録するときに、登録しようとしている電話番号を持つ相手が自分に対して緊急性又は重要性の高い用件などの特別の用件を有した相手であり、その相手からの着信は緊急に応答する必要があることを示す情報を含む関連情報の登録、あるいはそれらの削除・修正、及び携帯電話端末の個人情報等を設定するための設定情報の入力を行うためのキー操作部３と、キー操作部３から入力された設定情報の表示、着信時の着信報知のメッセージ表示、電話帳８の登録内容の表示、マナーモードの設定状態表示及び携帯電話端末の動作状態表示等の各種の表示を行う表示部４と、上記電話帳８に登録された電話番号及び関連情報、携帯電話端末の動作状態を示す情報、携帯電話端末の動作条件を設定するためにキー操作部３から入力された各種の設定情報、及びマナーモードの設定状態を示す情報などを記憶するメモリ５と、着信を知らせる着信音信号や着信した相手からの音声信号等の電気信号を入力して着信音や着信した通話相手からの音声等の鳴音出力を出すスピーカ６と、上記各部を制御する制御部７とを備えて構成される。
【００３２】
また、制御部７は、メモリ５内に構成される電話帳８に登録する電話番号のうち、特別な用件を有する相手の電話番号を区別して登録する、図示しない電話番号登録手段と、全ての着信に対してその着信があったことについての、スピーカ６からの鳴音による報知を行わない第１の報知モード、電話帳８に登録されかつ特別な用件を有する相手の電話番号として区別して登録されている電話番号の相手からの着信に対してはスピーカ６からの鳴音による報知を行い、他の電話番号の相手からの着信に対してはスピーカ６からの鳴音による報知を行わない第２の報知モード、及び電話帳８に登録された電話番号の相手からの着信に対してはスピーカ６からの鳴音による報知を行い、前記電話帳８に登録されていない電話番号の相手からの着信に対してはスピーカ６からの鳴音による報知を行わない第３の報知モードの、３つの報知モードの中の、いずれかの報知モードを選択して行われるキー操作部３からのマナーモード設定入力によりマナーモードを設定する、図示しないマナーモード設定手段と、着信があったときに、その着信の発信元電話番号を検出する、図示しない発信元電話番号検出手段と、マナーモードが設定されている状態で着信があったときに、発信元電話番号が電話帳８に登録されているか否かの第１の検索を行い、発信元電話番号が電話帳８に登録されている場合は、さらに、電話番号が特別な用件を有する相手の電話番号であることを示す情報が電話番号に付与されているか否かの第２の検索を行う、図示しない電話帳検索手段と、設定されたマナーモードレベルに対応してそのマナーモードレベルのマナーモードに対してあらかじめ定められた報知モードの内容と第１の検索及び第２の検索の検索結果とに基づいて決定される報知内容の指示を後述する制御手段から受けて報知動作を行う、図示しない着信報知手段と、通話相手からの無線部２への着信時あるいは通話相手への発信時に移動無線基地局と無線部２との間で行われるチャネル制御信号の送受信を移動無線通信プロトコルに従って無線部２を介して行う送受信制御、着信時に着信があったことを報知するための報知動作に関する上記各手段に対する制御、キー操作部３から出力された制御信号に基づいて、キー操作部３を介して入力された各種の設定情報のメモリ５への格納制御やメモリ５からの情報の読み出し制御等を含むメモリ５への格納制御及び読み出し制御、及びキー操作部３から入力された情報を含む各種の設定情報を表示部４へ表示する表示動作の制御等を行う、図示しない制御手段とから構成される。
【００３３】
次に、動作を説明する。
【００３４】
最初に、電話帳への電話番号の登録時の動作を説明する。
【００３５】
図２は、図１に示す携帯電話端末における電話番号の登録時の動作の流れを示す流れ図である。
【００３６】
図１に示す携帯電話端末のユーザがキー操作部３を操作して表示部４の画面に機能選択画面を表示させ、さらに、キー操作部３を操作して機能選択画面上で、メモリ５内の電話帳８へ電話番号を登録するための電話番号登録画面を選択して電話番号登録画面を表示させることで（図２のＳ１、ステップをＳと表記する、以下同じ）、電話帳８への電話番号の登録を行うことができ、制御部７の電話番号登録手段によって電話帳８への電話番号の登録動作が以下のように順次行われる。
【００３７】
最初に、電話番号登録手段によって、電話番号を電話帳８に登録する相手の名前の入力を要求する画面が表示部４に表示され、キー操作部３による相手の名前の入力操作がユーザによって行われることで、電話帳８に登録する相手の名前の入力が行われる（Ｓ２）。
【００３８】
次に、相手の電話番号の入力を要求する画面が表示部４に表示され、キー操作部３による相手の電話番号の入力操作がユーザによって行われことで、電話帳８に登録する相手の電話番号の入力が行われる（Ｓ３）。
【００３９】
さらに、表示部４に、電話番号登録手段によって、相手が緊急性又は重要性の高い特別の用件を有した相手であるか否かを判別し、そのいずれであるかの判別結果の入力を要求する画面が表示部４に表示されて、上記特別の用件を有した相手であるか否かのユーザによる判別の結果を入力するための入力操作がユーザによりキー操作部３で行われたとき（Ｓ４）、電話番号登録手段は、ユーザにより行われた判別の結果の入力操作が特別の用件を有した相手であることを示す入力操作であるか否かを判定し（Ｓ５）、ステップ５で、ユーザにより行われた判別の結果の入力操作が特別の用件を有した相手であることを示す入力操作であると判定したときは、登録しようとしている相手の名前及び電話番号に、特別の用件を有した相手の電話番号であることを示す情報として所定の符号を付与してメモリ５の電話帳８に登録する（Ｓ６）。
【００４０】
また、電話番号登録手段は、ステップ５で、ユーザにより行われた判別の結果の入力操作が特別の用件を有した相手でないことを示す入力操作であると判定したときは、登録しようとしている相手の名前及び電話番号に、特別の用件を有した相手の電話番号であることを示す所定の符号を電話番号に付与することなく、相手の名前及び電話番号のみをメモリ５の電話帳８に登録する（Ｓ７）。
【００４１】
次に、マナーモードの設定動作を説明する。
【００４２】
図３は、図１に示す携帯電話端末におけるマナーモードを設定するときの動作の流れを示す流れ図である。
【００４３】
例えば、携帯電話端末を所持して会議などに出席するユーザが、マナーモードの設定を行うため、キー操作部３を操作して表示部４の画面に機能選択画面を表示させ、さらに、キー操作部３を操作して機能選択画面上で、マナーモードを設定するためのマナーモード設定画面を選択してマナーモード設定画面を表示させることで（Ｓ１１）、マナーモードの設定を行うことができ、制御部７のマナーモード設定手段によってマナーモード設定動作が以下のように順次行われる。
【００４４】
マナーモード設定手段によって表示部４の画面上に表示されたマナーモード設定画面で、ユーザによるキー操作部３からのマナーモードを設定する入力操作が行われることで、マナーモード設定手段によりマナーモードが設定される（Ｓ１２）。
【００４５】
さらに、マナーモード設定手段によって、第１の報知モードを有する第１のマナーモードレベル、第２の報知モードを有する第２のマナーモードレベル及び第３の報知モードを有する第３のマナーモードレベルの、３段階のマナーモードレベルのいずれを設定するかの、マナーモードレべル選択を行うための、マナーモードレベル選択画面が表示され（Ｓ１３）、キー操作部３からの上記マナーモードレベル設定のための入力操作がユーザによって行われることで、マナーモード設定手段により、入力操作されたマナーモードレべルが設定され（Ｓ１４）、マナーモードの設定動作が終了する。
【００４６】
次に、マナーモードの設定された状態で着信があった場合の動作を説明する。設定動作を説明する。
【００４７】
図４は、図１に示す携帯電話端末においてマナーモードが設定されているときの着信時の動作の流れを示す流れ図である。
【００４８】
制御部７が無線部２から着信があったことを知らせる信号を受けると（Ｓ２１）、制御部７の制御手段は、携帯電話端末でマナーモードが設定されているか否かを調べるためにメモリ５のマナーモード情報格納部を検索し（Ｓ２２）、マナモードが設定されていることが検出された場合は、さらに、設定されているマナーモードレベルが、第１のマナーモードレベル（図中では「第１レベル」と表示）、第２のマナーモードレベル（図中では「第２レベル」と表示）、第３のマナーモードレベル（図中では「第３レベル」と表示）のいずれのマナーモードレベルかを検索する（Ｓ２３）。
【００４９】
制御手段は、ステップ２３の検索で、設定されているマナーモードレベルが、例えば第１のマナーモードレベルであることが検出されたときは、第１のマナーモードレベルでは、全ての着信に対してその着信があったことについて鳴音による報知を行うことができないので、上記着信に対しては、鳴音による着信報知を行わせるための制御を制御部７の着信報知手段に対して行わない（Ｓ２４）。
【００５０】
また、ステップ２３の検索で、設定されているマナーモードレベルが、例えば第２のマナーモードレベルであることが検出されたときは、制御手段は、第２のマナーモードレベルのマナーモードが設定されていることから、制御部７の電話帳検索手段に対して発信元電話番号が電話帳８に登録されているか否かを調べるための電話帳検索の指示を出し、この指示を受けた電話帳検索手段は、発信元電話番号検出手段から出力される発信元電話番号が電話帳８に登録されているか否かの第１の検索を行う（Ｓ２５）。
【００５１】
電話帳検索手段は、ステップ２５での検索で発信元電話番号が電話帳８に登録されていることが検出された場合は、さらに、その発信元電話番号が特別な用件を有する相手の電話番号であるか否かを調べるために、特別な用件を有する相手の電話番号であることを示す情報である、所定の符号を付与した電話番号であるか否かの第２の検索を行う（Ｓ２６）。
【００５２】
電話帳検索手段は、発信元電話番号が、電話番号が特別な用件を有する相手の電話番号であることを示す所定の符号を付与した電話番号であることを検索した場合は、発信元電話番号が上記情報を付与した電話番号である旨を制御手段に通知する。
【００５３】
電話帳検索手段から通知を受けた、制御手段は、上記所定の符号を付与した電話番号からの着信は、緊急性又は重要性の高い用件を有した相手からの着信であり、第２の報知モード下では、緊急性又は重要性の高い用件を有した相手からの着信に対しては着信音を鳴らすことができるので、鳴音による着信報知を行うように着信報知手段に指示を出し、着信報知手段は着信を知らせる鳴音をスピーカ６から出力させる（Ｓ２７）。
【００５４】
また、ステップ２３の検索で、設定されているマナーモードレベルが、例えば第３のマナーモードレベルであることが検出されたときは、制御手段は、第３のマナーモードレベルのマナーモードが設定されていることから、電話帳検索手段に対して発信元電話番号が電話帳８に登録されているか否かを調べるための電話帳検索の指示を出し、この指示を受けた電話帳検索手段は、発信元電話番号検出手段から出力される発信元電話番号が電話帳８に登録されているか否かの第１の検索を行う（Ｓ２８）。
【００５５】
電話帳検索手段は、ステップ２８での検索で発信元電話番号が電話帳８に登録されていることが検出された場合は、第３の報知モード下では、電話帳８に登録されていることが検出された電話番号の相手からの着信に対しては着信音を鳴らすことができるので、鳴音による着信報知を行うように着信報知手段に指示を出し、着信報知手段は着信を知らせる鳴音をスピーカ６から出力させる（Ｓ２７）上記ステップ２５において、発信元電話番号が電話帳８に登録されていないことが検出された場合は、このことを電話帳検索手段から通知を受けた、制御手段は、第２の報知モード下では電話帳８に登録されていない電話番号からの着信に対しては着信音を鳴らすことができないので、上記着信に対しては、鳴音による着信報知を行わせるための制御を着信報知手段に対して行わない（Ｓ２４）。
【００５６】
また、ステップ２５で電話帳８に登録されていることが検出されている発信元電話番号も、上記ステップ２６において、所定の符号を付与されておらず特別な用件を有する相手の電話番号ではないことが検出された場合は、このことを電話帳検索手段から通知を受けた制御手段は、第２の報知モード下ではこの電話番号からの着信に対しても着信音を鳴らすことができないので、上記着信に対しては、鳴音による着信報知を行わせるための制御を着信報知手段に対して行わない（Ｓ２４）。
【００５７】
上記ステップ２８において、発信元電話番号が電話帳８に登録されていないことが検出された場合は、このことを電話帳検索手段から通知を受けた制御手段は、第３の報知モード下では電話帳８に登録されていない電話番号からの着信に対しては着信音を鳴らすことができないので、上記着信に対しては、鳴音による着信報知を行わせるための制御を着信報知手段に対して行わない（Ｓ２４）。
【００５８】
以上で、マナーモードの設定された状態で着信があった場合の動作を説明を終了する。
【００５９】
なお、上記ステップ２２において、マナーモードが設定されていないことが検出された場合は、制御手段は、全ての着信に対して鳴音による着信報知を行うように着信報知手段に指示を出し、着信報知手段は着信を知らせる鳴音をスピーカ６から出力させる（Ｓ２７）。
【００６０】
また、上記の説明で、ステップ３での特別の用件を有した相手であるか否かの判別の結果の入力要求は、表示部４に表示される画面に、例えば、“入力された電話番号をマナーモード時に緊急性又は重要性の高い電話番号として扱いますか？（「はい」のときは「１」を、「いいえ」のときは「２」を入力して下さい）”と表示するようにしてもよい。
【００６１】
また、上記の説明では、緊急性の高い用件又は重要性の高い用件などの特別の用件として、特別の用件が緊急性の高い用件あるいは重要性の高い用件のどちらでもよいことで説明したが、緊急性の高い用件と重要性の高い用件とを分けて２種類の特別の用件として設定してもよい。
【００６２】
また、上記の説明で、通話相手の電話番号を携帯電話端末の電話帳８へ登録するときに、登録しようとしている電話番号の通話相手が緊急性の高い用件又は重要性の高い用件などの特別の用件を有した相手であるとき、特別の用件を有した相手の電話番号であることを示すための情報として所定の符号をその電話番号に付与することで説明したが、このとき例えば、緊急性又は重要性を複数段階に分けて緊急性又は重要性の高い用件から緊急性又は重要性の低い用件までのそれぞれの段階に応じて着信時の報知方法が異るようにし、それぞれの段階に対応した複数種類の符号を用いて電話番号に付与するようにしてもよい。
【００６３】
また、上記の説明において、各報知モードで鳴音による報知を行わない場合であっても、振動による報知のオン・オフの設定の選択が可能であるように構成してもよい。
【００６４】
また、上記の説明で、各報知モードで留守番録音の設定の選択が可能であるように構成してもよい。
【００６５】
また、上記の説明で、第２の報知モード及び第３の報知モードのそれぞれの報知モードで着信を報知する鳴音の音量レベル設定が可能であるように構成してもよい。
【００６６】
また、上記の説明では、マナーモードレベルとして３段階の場合について説明したが、３段階に限らず、一般的にはｎ段階（ｎは正の整数）の場合であってもよい。
【００６７】
【発明の効果】
以上説明したように、本発明の携帯電話端末の着信制御方式は、電話帳に登録する電話番号のうち、特別な用件を有する相手の電話番号を区別して登録できる電話番号登録手段を有し、さらに、マナーモード設定手段としては、全ての着信に対して鳴音による報知を行わない第１のマナーモードレベルと、電話番号が電話帳に登録され、かつ特別な用件を有する相手からの着信に対して鳴音による報知を行い、他の電話番号からの着信に対しては鳴音による報知を行わない第２のマナーモードレベルと、電話帳に登録された電話番号からの着信に対して鳴音による報知を行い、電話帳に登録されていない電話番号からの着信に対して鳴音による報知を行わない第３のマナーモードレベルとの３つのマナーモードレベルのマナーモードを設定できるマナーモード設定手段を備えるようにしたことにより、あらかじめ通話相手の電話番号に対応した呼び出しモードを個々の電話番号ごとに設定しておくような煩わしい設定作業を減らすことができ、マナーモード設定時にもあらかじめ定められた特定の緊急着信については、例外的に鳴音報知を可能とすることができ、さらに、周囲環境を考慮してその場所に相応したマナーモードを選択し設定することができるという効果を有している。
【図面の簡単な説明】
【図１】本発明の携帯電話端末の着信制御方式における携帯電話端末の実施の一形態を示すブロック図である。
【図２】図１に示す携帯電話端末における電話番号の登録時の動作の流れを示す流れ図である。
【図３】図１に示す携帯電話端末におけるマナーモードを設定するときの動作の流れを示す流れ図である。
【図４】図１に示す携帯電話端末においてマナーモードが設定されているときの着信時の動作の流れを示す流れ図である。
【符号の説明】
１    アンテナ
２    無線部
３    キー操作部
４    表示部
５    メモリ
６    スピーカ
７    制御部
８    電話帳
【図１】
2004312105.tif 000003
【図２】
2004312105.tif 000004
【図３】
2004312105.tif 000005
【図４】
2004312105.tif 000006